(57)【要約】      （修正有）【課題】ノートパソコンの天板に発光するパターンを配置して新しい視覚効果を生み出す発光するフルカラーパターンの天板を有するノートパソコンを提供する。【解決手段】本体１およびディスプレイ天板２からなる。本体１に対してディスプレイ天板２を開閉可能に枢接する。本体１は、入力ユニット１１、出力ユニット１２、電源供給ユニット１３およびマザーボード１４を具える。ディスプレイ天板２は、液晶ディスプレイ２１のほか、ＬＥＤ２２２１を配置したＬＥＤ板２２２、ＬＥＤの光を導入して透光カバー２４に導く導光板２２１、これらに電気的に接続する接続ユニット２２３からなる能動型光源２２、パターン２３が表面にある透光カバー２４からなる。マザーボード１４に搭載された制御装置により能動型光源２２の発光、色彩変化に応じて透光カバー２４上のパターン２３の発光を変化させる。【選択図】図１
0003185083.tif 000002
【実用新案登録請求の範囲】
【請求項１】
本体およびディスプレイ天板からなり、前記本体に対して前記ディスプレイ天板を開閉可能に枢接して接続し、
前記本体は、入力ユニット、出力ユニット、電源供給ユニットおよび制御装置を搭載したマザーボードを具え、
前記ディスプレイ天板は、液晶ディスプレイ、およびノートパソコンの操作に応じて発光変化する能動型光源、該能動型光源の光を受けて発光表示されるパターンを表面に形成した透光カバーからなり、前記液晶ディスプレイおよび前記能動型光源がそれぞれ前記本体の前記マザーボードに搭載された制御装置と電気的に接続していることを特徴とする発光するフルカラーパターンの天板を有するノートパソコン。
【請求項２】
前記パターンを表面に形成した透光カバーは、透光性のプラスチック材料からなることを特徴とする請求項１に記載の発光するフルカラーパターンの天板を有するノートパソコン。
【請求項３】
前記透光カバーを形成する透光カバープラスチック材料は、ポリカーボネート（ＰＣ）（公序良俗違反につき、不掲載）であることを特徴とする請求項２に記載の発光するフルカラーパターンの天板を有するノートパソコン。
【請求項４】
前記能動型光源は、複数のＬＥＤを配置したＬＥＤ板、ＬＥＤの光を導入して透光カバーに導く導光板、および接続ユニットからなり、
前記接続ユニットは、該ＬＥＤ板および前記マザーボード上の制御装置に対してその両方の端部で電気的に接続し、
前記導光板は、前記ＬＥＤ板と表面に前記パターンを形成した前記透光カバーとの間に配置されていることを特徴とする請求項１に記載の発光するフルカラーパターンの天板を有するノートパソコン。
【請求項５】
前記能動型光源は、前記マザーボード上に搭載された制御装置により、音楽の旋律およびリズムに合わせて光源を連続して点滅させることを特徴とする請求項１に記載の発光するフルカラーパターンの天板を有するノートパソコン。
【請求項６】
前記能動型光源は、前記ディスプレイ天板内の外側辺に配置される外、前記本体の両側の端部にそれぞれ発光ユニットを配置してその光を透光する透光ブロックを組み合わせることを特徴とする請求項１に記載の発光するフルカラーパターンの天板を有するノートパソコン。
【請求項７】
前記透光カバーの前記パターンは、プレートレス転写フィルムにより転写されることを特徴とする請求項１に記載の発光するフルカラーパターンの天板を有するノートパソコン。
【考案の詳細な説明】
【技術分野】
【０００１】
本考案は、発光するフルカラーパターンの天板を有するノートパソコンに関し、特に、変化する能動型光源に、プレートレス転写フィルムで転写された透光カバーを組み合わせた発光するフルカラーパターンの天板を有するノートパソコンに関する。
【背景技術】
【０００２】
テクノロジーの進歩にともない、ノートパソコンも大幅な進歩を遂げている。演算速度がさらに迅速になり、体積も大幅に縮小し、薄型で携帯しやすくなった。価格も安価になり、求めやすくなった。そのため、最近ではデスクトップパソコンに代わる存在となっている。現在、ノートパソコンの開発において、前述したいくつかの点に集中し、外観に対してはあまり注意が払われてこなかった。天板の材料や模様に簡単な変化をつけるぐらいのことしか行なわれず、甚だ残念なことに思われる。
【０００３】
多くのユーザーが求めているのは、オンリーワンの製品である。そのため、携帯電話、タブレットなど、保護フィルム、ケース、ストラップなどで自分のスタイルをアピールしているユーザーが多い。これらのユーザーは、従来の外観に不満を持ち、ノートパソコンの真新しい外観に期待を寄せている。
【０００４】
上記の問題点について、出願人の研究成果として「フルカラーパターンを有する電子装置」（参考文献１）がある。この考案は、プレートレス転写フィルムの製造方法を提供した。ローラーによってプレートレス転写フィルムをエンボスし、プレートレス転写フィルムに対し空気吹き、加圧を行うことにより均等な転写の目的を達する。従来の熱転写法は、熱転写面が凹凸であったり鉛直角に対して適用すると、転写フィルムと転写物との間に気泡が存在するため、付着不均等になったり剥離したりする状況が起き易くなったが、この考案により、転写効果の不良が大幅に改善された。しかし、比較的単純な平面視覚効果しか与えられず、変化に乏しかったため、ユーザーを満足させるまでには至らなかった。
【先行技術文献】
【特許文献】
【０００５】
【特許文献１】台湾特許公報  第０９８１４５８２３号
【特許文献２】特開２００８−１６５３９０号公報
【考案の概要】
【考案が解決しようとする課題】
【０００６】
本考案の第１の目的は、ノートパソコンがオン、オフまたは待機状態であっても能動型光源２２の発生する光線が、天板において光の変化を起こし、新しい視覚効果を生み出す発光するフルカラーパターンの天板を有するノートパソコンを提供することにある。
本考案の第２の目的は、光の変化と同時に音響効果を組み合わせ、光と音楽の効果を生み出す発光するフルカラーパターンの天板を有するノートパソコンを提供することにある。
本考案の第３の目的は、能動型光源がディスプレイ天板内の外側に配置される以外に、本体上に配置し、組み合わせる発光するフルカラーパターンの天板を有するノートパソコンを提供することにある。
【課題を解決するための手段】
【０００７】
上述の目的を達成するため、本考案は、発光するフルカラーパターンの天板を有するノートパソコンを提供する。本考案の発光するフルカラーパターンの天板を有するノートパソコンは、本体およびディスプレイ天板からなる。本体およびディスプレイ天板が枢接により接続している。本体は、ノートパソコンが必要な入力ユニット、出力ユニット、電源供給ユニットおよびマザーボードを有する。ディスプレイ天板は、液晶ディスプレイ、能動型光源、パターンが表面にある透光カバーからなる。液晶ディスプレイおよび能動型光源がそれぞれ本体のマザーボードと電気的に接続している。
【考案の効果】
【０００８】
本考案の発光するフルカラーパターンの天板を有するノートパソコンは、表面にパターンをプリントした透光するディスプレイ天板内に設けた能動型光源がマザーボードの制御によりノートパソコン上で異なる操作を行なう際、ユーザーの設定によってディスプレイ天板のパターンが異なる光源変化を生み、さらに音楽を組み合わせることにより、ビビットでパワフルな光と音楽の効果を得ることができる。
【図面の簡単な説明】
【０００９】
【図１】本考案の第１の実施形態による発光するフルカラーパターンの天板を有するノートパソコンを示す分解斜視図である。
【図２】本考案の第１の実施形態による発光するフルカラーパターンの天板を有するノートパソコンを示す斜視図である。
【図３】本考案の第１の実施形態による発光するフルカラーパターンの天板を有するノートパソコンの使用状態を示す斜視図である。
【図４】本考案の第２の実施形態による発光するフルカラーパターンの天板を有するノートパソコンを示す斜視図である。
【考案を実施するための形態】
【００１０】
以下、本考案の実施形態を図面に基づいて説明する。
【００１１】
図１および図２を参照する。図１は、本考案の第１の実施形態による発光するフルカラーパターンの天板を有するノートパソコンを示す分解斜視図である。図２は、本考案の第１の実施形態による発光するフルカラーパターンの天板を有するノートパソコンを示す斜視図である。図１および２に示すように、本考案の発光するフルカラーパターンの天板を有するノートパソコンは、本体１およびディスプレイ天板２からなる。本体１およびディスプレイ天板２は、枢接されて開閉可能に接続している。
【００１２】
本体１は、ノートパソコンが必要な入力ユニット１１、出力ユニット１２、電源供給ユニット１３およびマザーボード１４を具える。ディスプレイ天板２は、液晶ディスプレイ２１、能動型光源２２、パターン２３が表面にある透光カバー２４からなる。液晶ディスプレイ２１および能動型光源２２は、それぞれ本体１のマザーボード１４と電気的に接続しているため、能動型光源２２がマザーボード１４により電源供給ユニット１３から作動に必要な電源を得ることができる。
【００１３】パターン２３が表面にある透光カバー２４は、透光するプラスチック材料からなり、その中でも透明度および強度が高いポリカーボネート（ＰＣ）で（公序良俗違反につき、不掲載）が好適である。
【００１４】
電源が入れられると、オン、オフまたは待機状態であっても透光カバー２４内部に位置する能動型光源２２の発生する光線が、パターン２３が表面にある透光カバー２４を直接通り抜け、透光カバー２４上のパターン２３を美しくくっきり浮かび上がらせる。
【００１５】
透光カバー２４上にプリントされたパターン２３は、各種異なる方法で透光カバー２４上に設けられる。例えば、直接プリントしたり、転写したり、図案のある透明フィルムを直接貼り付けたりするなど、異なる効果があるが、一定の役割を果たす。しかし、出願人が考案し、申請したプレートレス転写フィルムによる方法が好適である。
【００１６】
能動型光源２２は、導光板２２１、ＬＥＤ板２２２および接続ユニット２２３からなる。ＬＥＤ板２２２上には、複数のＬＥＤ２２２１が配置され、接続ユニット２２３の両方の端部には、ＬＥＤ板２２２およびマザーボード１４が電気的に接続している。導光板２２１は、ＬＥＤ板２２２と表面にパターン２３のある透光カバー２４との間に配置されている。これにより、マザーボード１４は、ユーザーの設定によってノートパソコン上で行う操作に応じてＬＥＤ板２２２上のＬＥＤ２２２１光源に異なる色彩変化を生じさせて接続ユニット２２３から導光板２２１を経て透光カバー２４上のパターン２３に異なる色彩変化を持たせ、或は、連続して点滅させたりすることもできる。
【００１７】
能動型光源２２は、マザーボード１４に搭載されたＰＣの制御により再生される音楽の旋律に合わせて光源を連続して点滅させ、ビビットでパワフルな光と音楽の効果を得ることができる。
【００１８】
図３を参照する。図３は、本考案の第１の実施形態による発光するフルカラーパターンの天板を有するノートパソコンの使用状態を示す斜視図である。ＬＥＤ板２２２上のＬＥＤ２２２１は、異なるパターン２３に応じて発光形態を異なる組み合わせにすることができる。例えば、透光カバー２４上にアニメーションの主人公のパターン２３（図３参照）をプリントする。そして、ＬＥＤ板２２２上でアニメーションの主人公のパターン２３の目の位置に相対する位置にそれぞれＬＥＤ２２２２を配置し、導光板２２１の相対する位置に貫通孔２２１１を設ける。これにより、本考案の使用時において、アニメーションの主人公のパターン２３の目がさらに大きな光を発し、ビビッドな視覚的効果を生み出す。
【００１９】
図４を参照する。図４は、本考案の第２の実施形態による発光するフルカラーパターンの天板を有するノートパソコンを示す斜視図である。図４に示すように、夜空のパターン２３１の中に複数の星の図案が配置されているが、ＬＥＤ板２２２上で複数の星の位置に相対する位置にそれぞれＬＥＤ（図示せず）を配置し、導光板２２１の相対する位置に貫通孔を設ける。これにより、本考案ノートンパソコンの使用時において、星の部分を異なる方法で表現することができる。例えば、連続して交互に点滅させたり、同時に点滅させたり、複数の星をグループにして交互に点滅させたりしてさらに大きな視覚的効果を生み出す。
【００２０】
能動型光源２２は、ディスプレイ天板２内の外側辺に配置される以外に、本体１の両側の端部に２つの発光ユニット２２４を配置して、透光する透光ブロック２２５を組み合わせることにより、ディスプレイ天板２の光と音楽の相乗効果としてさらなる視覚的効果を生み出す。
【００２１】
表面にパターンをプリントした透光するディスプレイ天板内に設けた能動型光源２２がマザーボード１４上に搭載した制御装置によりノートパソコン上で行う操作に応じて、ユーザーの設定によってディスプレイ天板２のパターン２３が異なる光源変化を生み、さらに音楽を組み合わせることにより、ビビットでパワフルな光と音楽の効果を得ることができる。
【００２２】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２３】
１  本体
２  ディスプレイ天板
１１  入力ユニット
１２  出力ユニット
１３  電源供給ユニット
１４  マザーボード
２１  液晶ディスプレイ
２２  能動型光源
２３  パターン
２４  透光カバー
２２１  導光板
２２２  ＬＥＤ板
２２３  接続ユニット
２２４  発光ユニット
２２５  透光ブロック
２３１  夜空のパターン
２２１１  貫通孔
２２２１  ＬＥＤ
２２２２  ＬＥＤ
0003185083.tif 000003
【手続補正書】
【提出日】平成25年6月3日(2013.6.3)
【手続補正１】
【補正対象書類名】明細書
【補正対象項目名】００１３
【補正方法】変更
【補正の内容】
【００１３】
パターン２３が表面にある透光カバー２４は、透光するプラスチック材料からなり、その中でも透明度および強度が高いポリカーボネート（ＰＣ）が好適である。
【手続補正２】
【補正対象書類名】実用新案登録請求の範囲
【補正対象項目名】請求項３
【補正方法】変更
【補正の内容】
【請求項３】
前記透光カバーを形成する透光カバープラスチック材料は、ポリカーボネート（ＰＣ）であることを特徴とする請求項２に記載の発光するフルカラーパターンの天板を有するノートパソコン。
【手続補正３】
【補正対象書類名】図面
【補正対象項目名】全図
【補正方法】変更
【補正の内容】
【図１】
0003185083.tif 000004
【図２】
0003185083.tif 000005
【図３】
0003185083.tif 000006
【図４】
0003185083.tif 000007